(57)【要約】【課題】作業性の改善を図るとともに、耐震性に優れたラック等を提供する。【解決手段】上架３と下架４の間の左右両側に支柱５が立設されたラック２において、左右の支柱５に掛け渡されるようにして上架３及び下架４に配置される補強フレーム１０を備え、支柱５と上架３、支柱５と下架４、及び補強フレーム１０と左右の支柱５は、筋交い部材７、１４で連結されている。【選択図】図１
2014107487.tif 000002
【特許請求の範囲】
【請求項１】
上架と下架の間の左右両側に支柱が立設されたラックにおいて、
左右の前記支柱に掛け渡されるようにして前記上架及び下架に配置される補強フレームを備え、
前記支柱と上架、前記支柱と下架、及び前記補強フレームと左右の支柱は、筋交い部材で連結されていることを特徴とするラック。
【請求項２】
前記補強フレームは、断面が略コ字状に形成された上側部材及び下側部材を中空状になるようにして組み合わせ、前記補強フレームと左右の支柱を連結する筋交い部材は、前記下側部材と一体的に形成されていることを特徴とする請求項１に記載のラック。
【請求項３】
前記上架、下架、および支柱は、断面が略コ字状に形成された部材、またはその部材の組み合わせで構成されていることを特徴とする請求項１、又は２に記載のラック。
【請求項４】
上架と下架の間の左右両側に支柱が立設されたラックに用いられる補強フレームであって、
断面が略コ字状に形成された上側部材及び下側部材を中空状になるようにして組み合わせて、左右の前記支柱に掛け渡されるようにして前記上架及び下架に配置され、
前記下側部材には、前記補強フレームと支柱とを連結する筋交い部材が一体的に形成されていることを特徴とする補強フレーム。
【発明の詳細な説明】
【技術分野】
【０００１】
本発明は、光ファイバー・ケーブル接続、及びパッチパネル等を収納するラック等に関する
【背景技術】
【０００２】
従来、サーバ機器やＬＡＮ機器等の電気機器の種類や用途に応じて、収納部を備えたラックが知られている（特許文献１参照）。
【０００３】
この種のラックの一例として、光ファイバー・ケーブル接続、及びパッチパネル等を収納し、データ通信用途として用いられる一般にＦＤＦ架と称されるラックは、例えば、枠組みされた上架及び下架と、この上架と下架の間の鉛直方向に配置されるマウント用のアングル及び支柱ポストを備えるラックフレームを備えている。また、アングルには、ケーブル等を上下に区分けして配置するための板状体が上下方向に複数取り付けられる。
【先行技術文献】
【特許文献】
【０００４】
【特許文献１】特開２００３−００８２５９公報
【発明の開示】
【発明が解決しようとする課題】
【０００５】
また、従来のラックは、耐震性を考慮して設計されておらず、ラックを構成する部材として強度と重量を有する部材が選択されて組立られている。そのため、ラックの設置作業において、作業者に負担がかかりその改善を図る必要性がある。また、一般的に知られているラックの耐震力を測定した結果、耐震性が低い結果を得ている。
【０００６】
そこで、本発明は上記問題を課題の一例として為されたもので、作業性の改善を図るとともに、耐震性に優れたラック等を提供することを目的とする。
【課題を解決するための手段】
【０００７】
上記課題を解決するために、請求項１に記載のラック（２）は、上架（３）と下架（４）の間の左右両側に支柱（５）が立設されたラックにおいて、左右の前記支柱に掛け渡されるようにして前記上架及び下架に配置される補強フレーム（１０）を備え、前記支柱と上架、前記支柱と下架、及び前記補強フレームと左右の支柱は、筋交い部材（７、１４）で連結されていることを特徴とする。
【０００８】
また、請求項２に記載のラックは、請求項１に記載のラックにおいて、前記補強フレームは、断面が略コ字状に形成された上側部材（１２）及び下側部材（１１）を中空状になるようにして組み合わせ、前記補強フレームと左右の支柱を連結する筋交い部材（１４）は、前記下側部材と一体的に形成されていることを特徴とする。
【０００９】
また、請求項３に記載のラックは、請求項１、または２に記載のラックにおいて、前記上架、下架、および支柱は、断面が略コ字状に形成された部材、またはその部材の組み合わせで構成されていることを特徴とする。
【００１０】
また、請求項４に記載の補強フレームは、上架と下架の間の左右両側に支柱が立設されたラックに用いられる補強フレームであって、断面が略コ字状に形成された上側部材及び下側部材を中空状になるようにして組み合わせて、左右の前記支柱に掛け渡されるようにして前記上架及び下架に配置され、前記下側部材には、前記補強フレームと支柱とを連結する筋交い部材が一体的に形成されていることを特徴とする。
【発明の効果】
【００１１】
本発明によれば、耐震性に優れたラックを簡易に製造することができる。
【図面の簡単な説明】
【００１２】
【図１】本実施形態のラックフレームの構成を示す模式図である。
【図２】補強フレームの外観を示す模式図である。
【図３】図１のＡ−Ａ断面図である。
【図４】他の実施形態のラックの外観図を示す模式図である。
【発明を実施するための形態】
【００１３】
以下、本願の最良の実施形態について添付図面を参照して説明する。
【００１４】
本実施形態のラック２は、例えば、光ファイバー・ケーブル接続、及びパッチパネル等を収納し、データ通信用途として用いられる一般にＦＤＦ架と称されるラックとして適用される。
【００１５】
図１に示すように、本実施形態のラック２は、縦長箱型のラックフレーム２Ａを備えている。このラックフレーム２Ａは、上下に配置される上架３及び下架４と、この上架３と下架４の間に立設される支柱５と、を備える。この支柱５には、別途この支柱５に取り付けられるマウント用の金具（図示しない）を介して、ケーブルやパッチパネル等を区分けして配置するための略矩形状に形成された板状のフレームが上下方向に所定の間隔を有して複数取り付けられる（図４参照）。
【００１６】
上架３及び下架４は、所定の鋼材を用いて略中央部には空間部を有するようにして枠組みされて形成されており、支柱５は、横断面形状が略コ字状に形成された板状の鋼材で構成される。
【００１７】
また、支柱５は、上架３と下架４の左右両側の中央部に立設され、この上架３と下架４に分離可能に組み付けられている。
【００１８】
ここで、本実施形態のラック２は、耐震性を考慮し、前記支柱５と上架３、及び前記支柱５と下架４が、筋交い部材７により連結されている。筋交い部材７は、支柱５の前後各方向に設けられる。この筋交い部材７により、全体として剛性の高いフレームが形成される。
【００１９】
さらに、本実施形態のラック２は、左右の前記支柱５に掛け渡されるようにして、前記上架３及び下架４内側の略中央部に水平方向に延びる補強フレーム１０が設けられている。
【００２０】
この補強フレーム１０は、図２乃至図３に示すように、縦断面形状が略コ状の下側部材１１と、縦断面形状が略コ字状に形成された上側部材１２と、を中空状になるようにして上下に組み合わせた複合体で構成される。このように構成することで、特に、前後方向の側壁部において、上側部材１２と下側部材１１は互いに重なり合うため、前後方向の強度が高められる。
【００２１】
また、本実施形態のラック２は、上述したように中心部分に補強フレーム１０が設けられているので、ラック２が受けるねじりモーメントへの体力も加味された剛性を有する構造とすることが可能である。
【００２２】
また、下側部材１１の左右両側の端部には、下側部材１１から支柱５に対して斜め方向に傾斜する傾斜辺を有する略三角形状の傾斜部１４が形成されている。下側部材１１の前後に配置されるこの傾斜部１４、１４は、筋交い部材として機能し、当該下側部材１１と一体的に形成されている。また、この傾斜部１４の外側端には、前後の傾斜部１４同士を連結する連結部１５が一体的に形成されている。
【００２３】
上側部材１２と下側部材１１は、前後方向の側壁部においてリベット等の固定具１６により、分離可能に組みつけられた上で補強フレーム１０として、上架３または下架４に配置され、補強フレーム１０は、前後の傾斜部１４同士を連結する連結部１５と支柱５とがリベットなどの固定具１７により分離可能に組みつけられている。
【００２４】
また、図４に示すように、このラック２を単体として使用する場合には、上架３及び下架４の左右両側には、前後方向に伸び、左右方向に突出する突起体２０を取り付け、その突起体２０に被せるようにしてラック２の左右両側を覆う側部壁２２（図４中破線で示す）が設けられ、図示しないリベットなどの固定具によってこの側部壁２２と突起体２０とが分離可能に固定される。なお、更なる剛性を高めるために、上架３及び下架４の四隅に補助的な支柱２５を設けても構わない。
【００２５】
以上に説明したように、本実施形態のラック２は、上架３及び下架４の中間部に補強フレーム１０を設け、支柱５と連結される上架３、下架４、及び補強フレーム１０と支柱５とを筋交い部材７、筋交い部材として機能する傾斜部１４により連結することで、耐震性に優れたラック２を簡易に製造することができるとともに、断面がコ字状の部材を極力用いることで軽量化を図ることで、製造における作業性の改善が図れる。
【００２６】
また、本実施形態のラック２の構成部材である上架３及び下架４を、平板状の鋼材を折り曲げて断面形状が略コ字状に形成された板材の複合体で構成することで、更なる製造コストの低減と軽量化を図れる。
【００２７】
また、上記補強フレーム１０は、一般的に用いられているラックに適用することで簡易に耐震性に優れたラックを製作することができる。
【００２８】
具体的には、当該補強フレーム１０は、中央部に空間を有する上架と下架の間に支柱が立設されたラックに適用することができる。
【００２９】
なお、支柱５が上架と下架の左右両側の前後方向に複数設けられている場合には、補強フレーム１０を、上架及び下架の前後方向に均等に配置されるように、単数、若しくは複数設ければ良い。
【００３０】
なお、本願は本実施形態に限定されるものではなく、種々の形態にて実施することが可能である。
【符号の説明】
【００３１】
２  ラック
３  上架
４  下架
５  支柱
７、１４  筋交い部材
１０  補強フレーム
【図１】
2014107487.tif 000003
【図２】
2014107487.tif 000004
【図３】
2014107487.tif 000005
【図４】
2014107487.tif 000006